(57)【要約】      （修正有）【課題】太鼓状の形状の量を軽減し、筋目を少なくするワイヤカット放電加工方法、およびその装置。【解決手段】（ａ）は、上ワイヤガイド１１をワーク上面３１に対して相対的に紙面右方向に移動させ、下ワイヤガイド１２をワーク下面３２に対して相対的に紙面左方向に移動させ、ワイヤ電極４が加工方向に対して右に傾く状態を示している。また、（ｂ）は、上ワイヤガイド１１をワーク上面３１に対して相対的に紙面左方向に移動させ、下ワイヤガイド１２をワーク下面３２に対して相対的に紙面右方向に移動させ、ワイヤ電極４が加工方向に対して左に傾く状態を示している。そして、加工方向に対して（ａ）と（ｂ）の状態を連続的に交互に継続してワイヤ電極４を傾けることによりワーク３の放電加工を実行する。これによって、ワーク３の上部３３と下部３５を中央部３４と同様にワイヤ電極４によって放電加工する。【選択図】図２
2011056634.tif 000002
【特許請求の範囲】
【請求項１】
ワイヤカット放電加工方法において、予め指定された単位加工距離およびそれに対応するワイヤ電極傾斜量に基づき、加工方向に対して垂直な平面内でワイヤ電極を連続的に左右に傾斜させながら加工することを特徴とするワイヤカット放電加工方法。
【請求項２】
ワイヤカット放電加工方法において、予め指定された単位加工距離およびそれに対応するワイヤ電極傾斜量に基づき、ワイヤ電極を加工方向に対して連続的に前後に傾斜させながら加工することを特徴とするワイヤカット放電加工方法。
【請求項３】
予め指定された単位加工距離およびそれに対応するワイヤ電極傾斜量に基づき、加工方向に対して垂直な平面内でワイヤ電極を連続的に左右に傾斜させながら加工することを特徴とするワイヤカット放電加工機。
【請求項４】
予め指定された単位加工距離およびそれに対応するワイヤ電極傾斜量に基づき、ワイヤ電極を加工方向に対して連続的に前後に傾斜させながら加工することを特徴とするワイヤカット放電加工機。
【請求項５】
予め指定された単位加工距離およびそれに対応するワイヤ電極傾斜量に基づき、加工方向に対して垂直な平面内でワイヤ電極を連続的に左右に傾斜させながら加工する加工プログラムを作成することを特徴とする加工用プログラム作成装置。
【請求項６】
予め指定された単位加工距離およびそれに対応するワイヤ電極傾斜量に基づき、ワイヤ電極を加工方向に対して連続的に前後に傾斜させながら加工する加工プログラムを作成することを特徴とする加工用プログラム作成装置。
【請求項７】
ワイヤカット放電加工に用いるワイヤカット放電加工用プログラムを作成するプログラムを記録したコンピュータ読み取り可能な記録媒体であって、予め指定された単位加工距離およびそれに対応するワイヤ電極傾斜量に基づき、ワイヤ電極を連続的に左右、または、前後に傾斜させながら加工する加工プログラムを作成するプログラムを記録したコンピュータ読み取り可能な記録媒体。
【発明の詳細な説明】
【技術分野】
【０００１】
本発明は、ワイヤカット放電加工方法、およびその装置、並びに、ワイヤカット放電加工用プログラム作成装置、および、ワイヤカット放電加工用プログラムを作成するプログラムを記録したコンピュータ読み取り可能な記録媒体に関する。
【背景技術】
【０００２】
ワイヤカット放電加工機は、２つのワイヤガイド間にワイヤ電極を張架し走行させ、この２つのワイヤガイド間に配置されたワークとワイヤ電極の間隙に電圧を印加して放電加工を行うものである。
【０００３】
ワイヤ電極とワークとが予定された間隙の距離より狭くなるとより放電が発生し易くなり放電頻度も多くなり、その結果、ギャップの電圧が低下し、ワイヤ電極が被加工物側から本来の位置に向かって戻るように運動する。そして、このような運動が繰り返し生じる結果、加工面形状が所望の平坦な面にはならず、うねりが生じた形状となってしまう。特許文献１には、加工面のうねりを防止するため、ワイヤカット放電加工機上でワイヤ電極とワーク間の電圧を検出し、その電圧に応じてワイヤ電極を加工経路に対して直交する方向に相対移動させる技術が開示されている。
【０００４】
一方、ワイヤカット放電加工では、仕上げ加工においても、ワークの加工形状が太鼓状となる現象が発生し、加工精度の悪化を招いていた。特許文献２には、太鼓状形状になる現象の発生を防止するために、ワイヤカット放電加工機上でワイヤ電極とワーク間の検出電圧が一定となるように加工速度を制御する技術が開示されている。
【０００５】
また、ワイヤカット放電加工では、階段状外形のワークに対して、階段状の断面となる方向で切断する場合がある。この場合、段差部分では形状が急減に変化し、加工条件も大きく変化する。このため、従来のワイヤカット放電加工機では、一様で安定した加工を行うことができず、ワークの加工表面に筋状の加工傷が形成される問題があった。特許文献３には、ワークの段差部に発生する加工傷対策のため、ワイヤ電極を傾斜させる技術が開示されている。
【先行技術文献】
【特許文献】
【０００６】
【特許文献１】特開平１１−１７０１１８号公報
【特許文献２】特開平５−８１２２号公報
【特許文献３】特開平１０−３２８９３８号公報
【発明の概要】
【発明が解決しようとする課題】
【０００７】
従来のワイヤカット放電加工機では、ワイヤ電極で、ワークを切断加工している加工溝の幅が、ワークの上下端面に比べ、板厚の中央部が広くなる現象が生じ、ワークの加工形状が太鼓状となる現象が発生し、加工精度の劣化を招いていた。特に、ワークの板厚が厚い場合、ワーク中でワイヤ電極の振動が大きく、この現象が顕著に発生する。これにより加工結果に太鼓形状が発生し問題を生じていた。図９は、ワイヤ電極による加工を説明する平面図である。ワイヤカット放電加工機のワイヤ電極４によってＸ軸方向にワーク３を放電加工する。加工箇所１６においてワイヤ電極は、図１０や図１１に示されるような挙動する。
【０００８】
図１０は、ワークに対するワイヤ電極の相対的な進行方向に対して左右に振動することを説明する図である。ワイヤ電極４は、上下ワイヤガイド１１，１２を節としワーク３の中心部を腹としてその進行方向に対して左右方向４１に振動する。同時にワイヤ電極４は、図１１に示されるように、ワーク３の加工方向に対して中央部が後方に撓む。このように、ワイヤ電極４は、ワーク３を加工中に相対的な進行方向に対して後方に撓み、同時に左右にも振動し、特に、ワーク３の板厚の中央部で振幅が大きいため、図１２に示される加工形状となってしまう。図１２は、ワークの板厚の中央部で太鼓形状が形成されることを説明する図である。
【０００９】
また、放電エネルギーが小さい仕上げ加工では、ワーク３に対向するワイヤ電極４の一点において強い放電が発生すると、その強い放電箇所は、ワイヤ電極４の走行状態に合わせてワーク３の上から下方向に移動する。
【００１０】
図１３は、放電エネルギーが小さい仕上げ加工において加工筋が発生することを説明する図である。図１３では、ワイヤ電極４はワーク３の左側から右側に相対的に移動している。放電点３６はワイヤ電極４の移動とともにワーク３の下方向に移動していく。このため、ワーク３の加工表面に、ワイヤ電極４の進行方向に対して傾斜した筋目３７が形成される。ワイヤ電極４の走行速度および加工速度が一定である場合、微細な略傾斜した筋目３７がほぼ均一にワーク３の加工表面に生じる。この筋目３７である放電溝の深さは約０．２μｍ〜１．０μｍ程度の微細なものである。なお、図１３では、解り易くするために、筋目３７は進行方向に垂直な方向からかなり傾斜して描写されている。実際の加工面では、筋目３７はほとんど垂直な状態である。
【００１１】
そこで、本発明の目的は、ワイヤ電極の駆動方法により上記問題点を解決することができるワイヤカット放電加工方法を提供することであり、及び、その方法を行う装置であり、並びに、その加工プログラムを作成する加工プログラム作成装置、及び、前記加工プログラムを作成するプログラムを記録したコンピュータ読み取り可能な記録媒体を提供することである。  
より具体的には、本発明の目的は、太鼓状の形状の量を軽減することが可能なワイヤカット放電加工方法を提供することであり、及び、その方法を行う装置であり、並びに、その加工プログラムを作成する加工プログラム作成装置、及び、前記加工プログラムを作成するプログラムを記録したコンピュータ読み取り可能な記録媒体を提供することである。  さらに、本発明の目的は、放電エネルギーが小さい仕上げ加工の際に発生する筋目を少なくすることが可能なワイヤカット放電加工方法を提供することであり、及び、その方法を行う装置であり、並びに、その加工プログラムを作成する加工プログラム作成装置であり、及び、前記加工プログラムを作成するプログラムを記録したコンピュータ読み取り可能な記録媒体を提供することである。
【課題を解決するための手段】
【００１２】
本願の請求項１に係る発明は、ワイヤカット放電加工方法において、予め指定された単位加工距離およびそれに対応するワイヤ電極傾斜量に基づき、加工方向に対して垂直な平面内でワイヤ電極を連続的に左右に傾斜させながら加工することを特徴とするワイヤカット放電加工方法である。  
請求項２に係る発明は、ワイヤカット放電加工方法において、予め指定された単位加工距離およびそれに対応するワイヤ電極傾斜量に基づき、ワイヤ電極を加工方向に対して連続的に前後に傾斜させながら加工することを特徴とするワイヤカット放電加工方法である。
【００１３】
請求項３に係る発明は、予め指定された単位加工距離およびそれに対応するワイヤ電極傾斜量に基づき、加工方向に対して垂直な平面内でワイヤ電極を連続的に左右に傾斜させながら加工することを特徴とするワイヤカット放電加工機である。  
請求項４に係る発明は、予め指定された単位加工距離およびそれに対応するワイヤ電極傾斜量に基づき、ワイヤ電極を加工方向に対して連続的に前後に傾斜させながら加工することを特徴とするワイヤカット放電加工機である。
【００１４】
請求項５に係る発明は、予め指定された単位加工距離およびそれに対応するワイヤ電極傾斜量に基づき、加工方向に対して垂直な平面内でワイヤ電極を連続的に左右に傾斜させながら加工する加工プログラムを作成することを特徴とする加工用プログラム作成装置である。  
請求項６に係る発明は、予め指定された単位加工距離およびそれに対応するワイヤ電極傾斜量に基づき、ワイヤ電極を加工方向に対して連続的に前後に傾斜させながら加工する加工プログラムを作成することを特徴とする加工用プログラム作成装置である。
【００１５】
請求項７に係る発明は、ワイヤカット放電加工に用いるワイヤカット放電加工用プログラムを作成するプログラムを記録したコンピュータ読み取り可能な記録媒体であって、予め指定された単位加工距離およびそれに対応するワイヤ電極傾斜量に基づき、ワイヤ電極を連続的に左右、または、前後に傾斜させながら加工する加工プログラムを作成するプログラムを記録したコンピュータ読み取り可能な記録媒体である。
【発明の効果】
【００１６】
本発明により、ワイヤ電極の駆動方法により上記問題点を解決することができるワイヤカット放電加工方法、及び、その方法を行う装置を提供できるとともに、その加工プログラムを作成する加工プログラム作成装置、及び、前記加工プログラムを作成するプログラムを記録したコンピュータ読み取り可能な記録媒体を提供できる。  
より具体的には、ワークに形成される太鼓状の形状の量を軽減することが可能なワイヤカット放電加工方法、及び、その方法を行う装置を提供できるとともに、その加工プログラムを作成する加工プログラム作成装置、及び、前記加工プログラムを作成するプログラムを記録したコンピュータ読み取り可能な記録媒体を提供できる。
さらに、放電エネルギーが小さい仕上げ加工の際に発生する筋目を少なくすることが可能なワイヤカット放電加工方法、及び、その方法を行う装置を提供できるとともに、その加工プログラムを作成する加工プログラム作成装置、及び、前記加工プログラムを作成するプログラムを記録したコンピュータ読み取り可能な記録媒体を提供できる。
【図面の簡単な説明】
【００１７】
【図１】本発明の適用が可能なワイヤカット放電加工機の概略構成と動作について説明する図である。
【図２】ワークの加工方向に対して、ワイヤ電極を左右に交互に傾斜させながらワークを加工することを説明する図である。
【図３】ワークの加工方向に対して、ワイヤ電極を左右に交互に揺動させながらワークを加工することにより加工量の不均一が低減され、太鼓の量が軽減することを説明する図である。
【図４】最も窪んでいる位置がワークの板厚の中央部でない場合でも、加工量の不均一を低減することができることを説明する図である。
【図５】はすば歯車をワイヤカット放電加工により加工することを説明する図である。
【図６】ワークの加工方向に対して、ワイヤ電極を前方と後方に交互に傾斜させながらワークを加工することを説明する図である。
【図７】ワークのコーナ部を加工する際に、ワークの加工方向に対して、指定距離はワイヤ電極を交互に左右に傾斜させたり、交互に前後に傾斜させたりせずに加工することを説明する図である。
【図８】本発明に係るワイヤカット放電加工用プログラム作成装置の一実施形態における要部ブロック図である。
【図９】ワイヤ電極による加工を説明する平面図である。
【図１０】ワークに対するワイヤ電極の相対的な進行方向に対して左右に振動することを説明する図である。
【図１１】ワークの加工方向に対してワイヤ電極が後方に撓むことを説明する図である。
【図１２】ワークの板厚の中央部で太鼓形状が形成されることを説明する図である。
【図１３】放電エネルギーが小さい仕上げ加工において加工筋が発生することを説明する図である。
【発明を実施するための形態】
【００１８】
以下、本発明の実施形態について図面と共に説明する。  
図１は、本発明の適用が可能なワイヤカット放電加工機の概略構成と動作について説明する図である。図１に示されるワイヤカット放電加工機の概略構成は、従来のものと同様である。符号１は加工対象とされるワーク３を設置し固定するワーク置き台である。ワーク置き台１は、高精度の平坦度をもつ載置面２を有する。加工時に、ワーク３はその底面が載置面２に接するようにワーク置き台１に設置され固定される。
【００１９】
符号４は、ワーク３に放電加工を施すために、ワイヤ電極送り出しリール（図示せず）から給電ローラ１５、上ガイドローラ１３、上ワイヤガイド１１を経て加工箇所１６に供給されるワイヤ電極である。加工時には、ワイヤ電極４は結線操作により上下ワイヤガイド１１，１２間に張架され、ワーク３との間に放電を起こさせるための電圧が印加される。
【００２０】
ワイヤ電極４は加工箇所１６を経て更に、下ワイヤガイド１２、下ガイドローラ１４を経て、ワイヤ電極４を所定の張力で引っ張る巻き取りリール（図示せず）に巻き取られる。なお、巻き取りリールに替えて、ワイヤ回収箱（図示せず）に回収してもよい。
【００２１】
ワイヤ電極４には、放電加工電源２１から給電ローラ１５を介して放電加工用の電気エネルギーが供給される。また、加工箇所１６には、冷却水が注がれたり、あるいは、ワーク３全体を加工液（例えば、純水）中に浸漬するなどの手法が採用される。
【００２２】
通常、ワーク置き台１の載置面２は水平方向（ＸＹ平面に平行な面上）に延在し、ワーク置き台１はＸＹ各軸のサーボモータ５，６により、Ｘ軸およびＹ軸を直交軸とするＸＹ平面に平行な面上で駆動可能となっている。また、上ワイヤガイド１１は、ＵＶ各軸のサーボモータ８，９により、ＸＹ平面に平行な面上で駆動可能である。また、Ｚ軸サーボモータ７により、ＸＹ平面に垂直な方向に駆動可能となっている。通常、Ｕ軸による移動方向とＸ軸による移動方向は平行、また、Ｖ軸による移動方向とＹ軸による移動方向は平行である。
【００２３】
加工箇所１６を変えるには、ワーク３とワイヤ電極４の相対的な位置を変えればよく、数値制御装置２０から出力される各軸サーボモータへの指令（Ｘ軸指令、Ｙ軸指令、Ｕ軸指令、Ｖ軸指令、Ｚ軸指令）により行われる。その指令内容は、通常、加工プログラムで規定される。加工プログラムは、ワイヤ電極４の移動指令、つまり、各軸サーボモータへの移動指令などを規定するプログラムであり、前述のＸＹ平面に平行な平面に定義される。この定義される平面はＺ軸方向に任意位置に設定することができる。この任意に設定できる平面をプログラム面と称する。
【００２４】
次に、太鼓状の形状の量を軽減することが可能なワイヤカット放電加工方法を説明する。ワーク３が図１に示される加工方向に加工されているとする。太鼓形状の量を軽減するため、図２に示されるように、ワーク３の加工方向に対してワイヤ電極４を連続的に左右に交互に傾斜させながらワーク３を加工する。ここでは、プログラム面はワーク３の板厚の中央部に設定されている。
【００２５】
図２（ａ）は、上ワイヤガイド１１をワーク上面３１に対して相対的に紙面右方向に移動させ、下ワイヤガイド１２をワーク下面３２に対して相対的に紙面左方向に移動させ、ワイヤ電極４が加工方向に対して右に傾く状態を示している。また、図２（ｂ）は、上ワイヤガイド１１をワーク上面３１に対して相対的に紙面左方向に移動させ、下ワイヤガイド１２をワーク下面３２に対して相対的に紙面右方向に移動させ、ワイヤ電極４が加工方向に対して左に傾く状態を示している。そして、加工方向に対して図２（ａ）と図２（ｂ）の状態を連続的に交互に継続してワイヤ電極４を傾けることによりワーク３の放電加工を実行する。これによって、ワーク３の上部３３と下部３５を中央部３４と同様にワイヤ電極４によって放電加工することができる。
【００２６】
ワイヤ電極４を傾斜させるには図２で説明したように上下ワイヤガイド１１，１２を移動させる替わりに、図１に示されるワイヤカット放電加工機では、加工プログラムにより、Ｘ軸サーボモータ５を駆動しワーク置き台１を移動させ、ワイヤ電極４が図示される加工方向に相対的に移動するようにし、Ｖ軸サーボモータ９とＹ軸サーボモータ６を駆動し加工方向に対してワイヤ電極４を左右に傾ける。ワイヤ電極４をワーク３に対してどの程度傾けるかは、プログラム面４０に対するワーク上面３１の高さに基づいて加工プログラムにより設定できる。
【００２７】
図３は、ワーク３の加工方向に対して、ワイヤ電極４を左右に交互に揺動させながらワーク３を加工することにより加工量の不均一が低減され、太鼓腹の量が軽減することを説明する図である。ワイヤ電極４を傾斜させることによって、図３に示されるように、ワーク３の上部３３と下部３５が放電加工され、上部３３、中央部３４、および下部３５におけるワーク３の加工量が略均一になり、太鼓腹の量が軽減される。
【００２８】
ここで、図２に示されるワイヤ電極を左右に交互に傾斜させながらワーク３を加工する加工プログラムの例を説明する。  
Ｇ０１Ｘ１０．            ワイヤ電極４の現在位置がＸ１０ｍｍの位置に移動する。こ                          こで、Ｇ０１は直線補間指令である。
Ｘ１０．０１  Ｖ０．１    Ｘ１０．０１ｍｍまで移動しながらワイヤ電極４の上側をＹ                          軸プラス方向へ０．１ｍｍ変位。
Ｘ１０．０２  Ｖ−０．１  Ｘ１０．０２ｍｍまで移動しながらワイヤ電極４の上側をＹ                          軸マイナス方向へ０．１ｍｍ変位。
Ｘ１０．０３  Ｖ０．１    Ｘ１０．０３ｍｍまで移動しながらワイヤ電極４の上側をＹ                          軸プラス方向へ０．１ｍｍ変位。
Ｘ１０．０４  Ｖ−０．１  Ｘ１０．０４ｍｍまで移動しながらワイヤ電極４の上側をＹ                          軸マイナス方向へ０．１ｍｍ変位。
・・・・
上述の加工プログラム例は、Ｘは、プログラム面であるワーク３の板厚の中央部での位置を指令する。Ｖは、補助面で偏差量である傾斜量を指令するが、ここでは、ワーク３の板厚の最上部であるワーク上面３１でのワイヤ電極４の傾斜量を指令する。ワイヤカット放電加工用プログラム作成装置７０（図８参照）では、単位加工距離とワイヤ電極傾斜量を予め設定しておくだけで、上述の加工プログラム例のように、自動的に単位加工距離ごとに傾斜量を切り替えて加工プログラムを作成する。上述の加工プログラムの例では、単位加工距離は０．０１ｍｍ、ワイヤ電極傾斜量は０．１ｍｍである。
【００２９】
さらに、この加工方法は、はすば歯車の加工においても有効である。図５は、はすば歯車をワイヤカット放電加工により加工することを説明する図である。ワイヤ電極４をはすば歯車の素材である円柱状のワークの上下面の円周部（半径Ｒ）で接続した場合、その中央部（半径ｒ）で太鼓形状に余分に加工されてしまう。このように、はすば歯車をワイヤカット放電加工する場合、ワイヤ電極は直線状に張架されるためどうしてもワークの板厚の中央部がやせる（細くなる）結果となるが、本発明の方法を用いればやせる量を軽減することができる。
【００３０】
なお、ワイヤカット放電加工用プログラム作成装置やワイヤカット放電加工用プログラム作成ソフトウェアは、加工用の条件を内蔵している場合が多い。その条件の諸元に単位加工距離とワイヤ電極傾斜量を加えておけば、加工プログラム作成時に選択された条件内の単位加工距離とワイヤ電極傾斜量を用いて、上記と同様の加工プログラムを作成することができる。
【００３１】
図２や図３ではプログラム面４０をワーク３の板厚の中央部３４に設定した。プログラム面４０は中央部３４に限定されない。図４では、最もくぼんでいる高さがワーク３の板厚の中央部でない場合でも、加工量の不均一を低減することができることを説明する図である。図４では、プログラム面４０は、ワーク３で太鼓腹の最も窪みの大きい位置に設定される。上述の加工プログラムにおいて、Ｘは最も窪みの大きい位置で指令され、Ｖはワーク３のワーク下面３２で指令することによって所望の結果を得ることができる。
【００３２】
次に、放電エネルギーが小さい仕上げ加工の際に発生する筋目を少なくすることが可能なワイヤカット放電加工方法を説明する。
【００３３】
背景技術で説明したように、放電エネルギーが小さい仕上げ加工では、ワイヤ電極４のある一点で強い放電が発生する（以下、強い放電が発生する箇所を「放電点」という）と、その放電点がワイヤ電極４の走行に合わせてワーク３の上側から下側に向かって移動し、この結果、ワーク３の表面に筋目３７が生じた（図１３参照）。そこで本発明の加工方法は、筋目３７の発生を抑制するため、ワイヤ電極４の走行方向の加工方向に対する傾きを連続的に変化させることで、放電点３６による均一方向の筋を交差させ、筋目３７を打ち消しあい微細筋の発生を軽減させる。
【００３４】
図６は、ワーク３の加工方向に対して、ワイヤ電極４を前方と後方に交互に連続的に傾斜させながらワーク３を加工することを説明する図である。プログラム面４０はワーク３の板厚の中央部に設定されている。ワーク３が図１に示される加工方向に加工されているとする。
【００３５】
図６（ａ）は、上ワイヤガイド１１をワーク上面３１に対して相対的に紙面右方向に移動させ、下ワイヤガイド１２をワーク下面３２に対して相対的に紙面左方向に移動させ、ワイヤ電極４が加工方向に対して前に傾く状態を示している。また、図６（ｂ）は、上ワイヤガイド１１をワーク上面３１に対して相対的に紙面左方向に移動させ、下ワイヤガイド１２をワーク下面３２に対して相対的に紙面右方向に移動させ、ワイヤ電極４が加工方向に対して後ろに傾く状態を示している。そして、加工方向に対して図６（ａ）と図６（ｂ）の状態を連続的に交互に継続してワイヤ電極４を傾けることによりワーク３の放電加工を実行する。これによって、放電点の移動方向が一定方向とならず、結果として、ワーク３の加工面に筋目が発生することを軽減することができる。
【００３６】
ワイヤ電極４を傾斜させるには図６で説明したように上下ワイヤガイド１１，１２を移動させる替わりに、図１に示されるワイヤカット放電加工機では、加工プログラムにより、Ｘ軸サーボモータ５を駆動しワーク置き台１を移動させ、ワイヤ電極４が図示される加工方向に相対的に移動するようにし、Ｕ軸サーボモータ８を駆動し加工方向に対してワイヤ電極４を前後に傾ける。ワイヤ電極４をワーク３に対してどの程度前後に傾けるかは、プログラム面４０に対するワーク上面３１の高さに基づいて加工プログラムにより設定できる。
【００３７】
ここで、図６に示されるワイヤ電極を左右に交互に傾斜させながらワーク３を加工する加工プログラムの例を説明する。  
Ｇ０１Ｘ１０．            ワイヤ電極４の現在位置がＸ１０ｍｍの位置に移動する。こ                          こで、Ｇ０１は直線補間指令である。
Ｘ１０．０１  Ｕ０．１    Ｘ１０．０１ｍｍまで移動しながらワイヤ電極４の上側をＸ                          軸プラス方向へ０．１ｍｍ変位。
Ｘ１０．０２  Ｕ−０．１  Ｘ１０．０２ｍｍまで移動しながらワイヤ電極４の上側をＸ                          軸マイナス方向へ０．１ｍｍ変位。
Ｘ１０．０３  Ｕ０．１    Ｘ１０．０３ｍｍまで移動しながらワイヤ電極４の上側をＸ                          軸プラス方向へ０．１ｍｍ変位。
Ｘ１０．０４  Ｕ−０．１  Ｘ１０．０４ｍｍまで移動しながらワイヤ電極４の上側をＸ                          軸マイナス方向へ０．１ｍｍ変位。
・・・・
上述の加工プログラム例は、Ｘは、プログラム面であるワーク３の板厚の中央部での位
置を指令する。Ｕは、補助面で偏差量である傾斜量を指令するが、ここでは、ワーク３の板厚の最上部であるワーク上面３１でのワイヤ電極傾斜量を指令する。加工プログラム作成装置７０（図８参照）では、単位加工距離とワイヤ電極傾斜量を予め設定しておくだけで、上述の加工プログラム例のように、自動的に単位加工距離ごとに傾斜量を切り替えて加工プログラムを作成する。上述の加工プログラムの例では、単位加工距離は０．０１ｍｍ、ワイヤ電極傾斜量は０．１ｍｍである。
【００３８】
上述したワイヤ電極４を加工方向に垂直な面内で左右に傾けたり、加工方向に対して前後に傾けたりすることによりワーク３を加工する場合、加工経路のコーナ部の前後では、コーナ部分の形状を損なわないため、予め指定された距離手前から、同じ距離行き過ぎるまで、ワイヤ電極４を交互に連続に左右または、前後に傾斜することを行わなくしてもよい。図７は、ワーク３のコーナ部を加工する際に、ワーク３の加工方向に対して、指定距離区間はワイヤ電極を交互に左右に傾斜させたり、交互に前後に傾斜させたりせずに加工することを説明する図である。ワイヤ電極４が予め指定された距離手前である地点５０に達したら、ワイヤ電極４の傾き動作を停止し、同じ距離行き過ぎた地点５１から、再度、指定された傾き動作を再開する。このようにワイヤ電極４の動作を制御することによって、コーナ部分の形状を損なわないようにできる。
【００３９】
次に、ワイヤカット放電加工用プログラム作成装置を説明する。図８は、本発明に係るワイヤカット放電加工用プログラム作成装置の一実施形態における要部ブロック図である。ワイヤカット放電加工用プログラム作成装置７０は、パーソナルコンピュータや数値制御装置等の従来の情報処理装置で構成されるものであり、ＣＰＵ７１とＣＰＵ７１にバス７６を介して接続されたＲＯＭ，ＲＡＭなどで構成されたメモリ７２、液晶表示装置などで構成される表示装置７３、キーボードなどのデータや指令を入力する入力手段７４、インタフェース７５で構成されている。
【００４０】
まず、入力手段７４を操作して、単位加工距離およびワイヤ電極傾斜量を入力するとともに、加工開始位置、加工終了位置、加工順などの加工プログラムを作成するために必要なデータを入力し、ＣＰＵ７１は、メモリ７２に予め格納されている本発明に係るワイヤカット放電加工用プログラムを作成するプログラムを起動し、与えられたデータに基づき、ワイヤカット放電加工用プログラムを生成する。前記ワイヤカット放電加工用プログラムを作成するプログラムは、コンピュータ読み取り可能な記録媒体に格納し、この記録媒体からこの加工プログラム作成用のプログラムをコンピュータなどにインストールし、所用のデータを入力することにより、ワイヤカット放電加工用プログラムを作成することができる。
【符号の説明】
【００４１】
１  ワーク置き台
２  載置面
３  ワーク
４  ワイヤ電極
５  Ｘ軸サーボモータ
６  Ｙ軸サーボモータ
７  Ｚ軸サーボモータ
８  Ｕ軸サーボモータ
９  Ｖ軸サーボモータ
１１  上ワイヤガイド
１２  下ワイヤガイド
１３  上ガイドローラ
１４  下ガイドローラ
１５  給電ローラ
１６  加工箇所
１７  加工速度指令
２０  数値制御装置
２１  放電加工電源
３１  ワーク上面
３２  ワーク下面
３３  上部
３４  中央部
３５  下部
４０  プログラム面
７０  ワイヤカット放電加工用プログラム作成装置
【図１】
2011056634.tif 000003
【図２】
2011056634.tif 000004
【図３】
2011056634.tif 000005
【図４】
2011056634.tif 000006
【図５】
2011056634.tif 000007
【図６】
2011056634.tif 000008
【図７】
2011056634.tif 000009
【図８】
2011056634.tif 000010
【図９】
2011056634.tif 000011
【図１０】
2011056634.tif 000012
【図１１】
2011056634.tif 000013
【図１２】
2011056634.tif 000014
【図１３】
2011056634.tif 000015
【手続補正書】
【提出日】平成22年11月26日(2010.11.26)
【手続補正１】
【補正対象書類名】明細書
【補正対象項目名】００１２
【補正方法】変更
【補正の内容】
【００１２】
本願の請求項１に係る発明は、ワイヤカット放電加工方法において、予め指定された単位加工距離およびそれに対応するワイヤ電極傾斜量に基づき、加工方向に対して垂直な平面内でワイヤ電極を連続的に左右に交互に傾斜させながら加工することを特徴とするワイヤカット放電加工方法である。  
請求項２に係る発明は、ワイヤカット放電加工方法において、予め指定された単位加工距離およびそれに対応するワイヤ電極傾斜量に基づき、ワイヤ電極を加工方向に対して連続的に前後に交互に傾斜させながら加工することを特徴とするワイヤカット放電加工方法である。
【手続補正２】
【補正対象書類名】明細書
【補正対象項目名】００１３
【補正方法】変更
【補正の内容】
【００１３】
請求項３に係る発明は、予め指定された単位加工距離およびそれに対応するワイヤ電極傾斜量に基づき、加工方向に対して垂直な平面内でワイヤ電極を連続的に左右に交互に傾斜させながら加工することを特徴とするワイヤカット放電加工機である。  
請求項４に係る発明は、予め指定された単位加工距離およびそれに対応するワイヤ電極傾斜量に基づき、ワイヤ電極を加工方向に対して連続的に前後に交互に傾斜させながら加工することを特徴とするワイヤカット放電加工機である。
【手続補正３】
【補正対象書類名】明細書
【補正対象項目名】００１４
【補正方法】変更
【補正の内容】
【００１４】
請求項５に係る発明は、予め指定された単位加工距離およびそれに対応するワイヤ電極傾斜量に基づき、加工方向に対して垂直な平面内でワイヤ電極を連続的に左右に交互に傾斜させながら加工する加工プログラムを作成することを特徴とする加工用プログラム作成装置である。  
請求項６に係る発明は、予め指定された単位加工距離およびそれに対応するワイヤ電極傾斜量に基づき、ワイヤ電極を加工方向に対して連続的に前後に交互に傾斜させながら加工する加工プログラムを作成することを特徴とする加工用プログラム作成装置である。
【手続補正４】
【補正対象書類名】明細書
【補正対象項目名】００１５
【補正方法】変更
【補正の内容】
【００１５】
請求項７に係る発明は、ワイヤカット放電加工に用いるワイヤカット放電加工用プログラムを作成するプログラムを記録したコンピュータ読み取り可能な記録媒体であって、予め指定された単位加工距離およびそれに対応するワイヤ電極傾斜量に基づき、ワイヤ電極を連続的に左右交互に、または、前後交互に傾斜させながら加工する加工プログラムを作成するプログラムを記録したコンピュータ読み取り可能な記録媒体である。
【手続補正５】
【補正対象書類名】特許請求の範囲
【補正対象項目名】全文
【補正方法】変更
【補正の内容】
【特許請求の範囲】
【請求項１】
ワイヤカット放電加工方法において、予め指定された単位加工距離およびそれに対応するワイヤ電極傾斜量に基づき、加工方向に対して垂直な平面内でワイヤ電極を連続的に左右に交互に傾斜させながら加工することを特徴とするワイヤカット放電加工方法。
【請求項２】
ワイヤカット放電加工方法において、予め指定された単位加工距離およびそれに対応するワイヤ電極傾斜量に基づき、ワイヤ電極を加工方向に対して連続的に前後に交互に傾斜させながら加工することを特徴とするワイヤカット放電加工方法。
【請求項３】
予め指定された単位加工距離およびそれに対応するワイヤ電極傾斜量に基づき、加工方向に対して垂直な平面内でワイヤ電極を連続的に左右に交互に傾斜させながら加工することを特徴とするワイヤカット放電加工機。
【請求項４】
予め指定された単位加工距離およびそれに対応するワイヤ電極傾斜量に基づき、ワイヤ電極を加工方向に対して連続的に前後に交互に傾斜させながら加工することを特徴とするワイヤカット放電加工機。
【請求項５】
予め指定された単位加工距離およびそれに対応するワイヤ電極傾斜量に基づき、加工方向に対して垂直な平面内でワイヤ電極を連続的に左右に交互に傾斜させながら加工する加工プログラムを作成することを特徴とする加工用プログラム作成装置。
【請求項６】
予め指定された単位加工距離およびそれに対応するワイヤ電極傾斜量に基づき、ワイヤ電極を加工方向に対して連続的に前後に交互に傾斜させながら加工する加工プログラムを作成することを特徴とする加工用プログラム作成装置。
【請求項７】
ワイヤカット放電加工に用いるワイヤカット放電加工用プログラムを作成するプログラムを記録したコンピュータ読み取り可能な記録媒体であって、予め指定された単位加工距離およびそれに対応するワイヤ電極傾斜量に基づき、ワイヤ電極を連続的に左右交互に、または、前後交互に傾斜させながら加工する加工プログラムを作成するプログラムを記録したコンピュータ読み取り可能な記録媒体。